(57)【特許請求の範囲】
【請求項１】
スピーカのボイスコイルの軸方向に離間した２箇所に結合され、前記ボイスコイルを磁気回路の磁気ギャップ間に位置するように支持する二重構造ダンパーにおいて、
一方の端面側は開放面、他方の端面側には中心部に前記ボイスコイルが取り付けられる穴が形成され、前記ボイスコイルの移動方向に可撓可能なダンパー部が形成された筒状の第１のダンパー部材と、
該第１のダンパー部材と同一形状の第２のダンパー部材と、
でなり、
前記第１のダンパー部材の開放面と、前記第２のダンパー部材の開放面とが対向するように第１および第２のダンパー部材を一体化したことを特徴とする二重構造ダンパー。
【請求項２】
前記第１および第２のダンパー部材の筒面の開放面側縁部にそって、互いに嵌合可能な軸方向の凹凸部を形成したことを特徴とする請求項１記載の二重構造ダンパー。
【請求項３】
前記第１および第２のダンパー部材は、樹脂材料を射出成形してなることを特徴とする請求項１または２記載の二重構造ダンパー。
【請求項４】
請求項１乃至３のいずれかに記載の二重構造ダンパーを用いたことを特徴とするスピーカ。
【発明の詳細な説明】
【０００１】
【発明の属する技術分野】
本発明は、スピーカのボイスコイルの軸方向に離間した２箇所に結合され、前記ボイスコイルを磁気回路の磁気ギャップ間に位置するように支持する二重構造ダンパーを用いたスピーカに関する。
【０００２】
【従来の技術】
近年、小口径で大振幅に対応するスピーカの需要が増加してきている。
小口径スピーカの低周波数領域での振動板の振幅量は、大口径スピーカに比べ大きくなり、ボイスコイルのローリング等を防止するため２つのダンパーからなる二重構造ダンパーを用いる場合がある。
【０００３】
ここで、二重構造ダンパーを用いたスピーカの断面図である図４を用いて説明する。
図において、磁気回路１は、中央部にセンタポール部３が形成されたヨーク５と、ヨーク５上に積層され、中央部にセンタポール部３が挿通する穴７が設けられた円環状のマグネット９と、マグネット９上に積層され、中央部にセンタポール部３が挿通する穴１１が設けられたトッププレート１３とからなり、トッププレート１３の穴７の内壁面と、センタポール部３の周面との間に磁気ギャップ１５が形成されている。
【０００４】
この磁気回路１は、円錐台状のフレーム１７の下面に設けられる。
フレーム１７の上部には、エッジ部材１９を介して振動板２１の外周部が取り付けられ、振動板２１の内周部には、ボイスコイル２３が巻回されたボビン２５が取り付けられている。
【０００５】
ボビン２５は、フレーム１７に設けられた二重構造ダンパー２７によってそのボイスコイル２３が磁気回路１の磁気ギャップ１５間に位置するように支持されている。
【０００６】
本従来例の二重構造ダンパー２７は、円環状のスペーサ２９を介して積層された２枚の円環状のダンパー３１で構成されている。
円環状のダンパー３１には、同心円状の複数の屈曲部（コルゲーション）が形成され、内周部がボビン２５に取り付けられている。
【０００７】
さらに、振動板２１には、ボビン２５内に塵埃が侵入するのを防止するキャップ３３が設けられている。
そして、ボイスコイル２３に音声電流を流すと、ボイスコイル２３が駆動され、ボビン２５を介して振動板２１が振動する。
【０００８】
【発明が解決しようとする課題】
しかし、上記構成の二重構造ダンパー２７およびこの二重構造ダンパーを用いたスピーカには、以下のような問題点がある。
（１）２枚のダンパー３１の間隔を確保するためにスペーサ２９が必要である。
（２）２枚のダンパー３１の中心出しが難しい。
【０００９】
本発明は、上記問題点に鑑みてなされたもので、その第１の課題は、スペーサが不要で、組み付け工数が低減し、コストも低減できる二重構造ダンパーおよびスピーカを提供することにある。
【００１０】
第２の課題は、２枚のダンパーの中心出しが容易な二重構造ダンパーおよびスピーカを提供することにある。
【００１１】
【課題を解決するための手段】
上記課題を解決する請求項１記載の発明は、スピーカのボイスコイルの軸方向に離間した２箇所に結合され、前記ボイスコイルを磁気回路の磁気ギャップ間に位置するように支持する二重構造ダンパーにおいて、一方の端面側は開放面、他方の端面側には中心部に前記ボイスコイルが取り付けられる穴が形成され、前記ボイスコイルの移動方向に可撓可能なダンパー部が形成された筒状の第１のダンパー部材と、該第１のダンパー部材と同一形状の第２のダンパー部材とでなり、前記第１のダンパー部材の開放面と、前記第２のダンパー部材の開放面とが対向するように第１および第２のダンパー部材を一体化したことを特徴とする二重構造ダンパーである。
【００１２】
一方の端面側は開放面、他方の端面側には中心部に前記ボイスコイルが取り付けられる穴が形成され、前記ボイスコイルの移動方向に可撓可能なダンパー部が形成された筒状の第１のダンパー部材と、該第１のダンパー部材と同一形状の第２のダンパー部材とでなり、前記第１のダンパー部材の開放面と、前記第２のダンパー部材の開放面とが対向するように第１および第２のダンパー部材を一体化したことにより、第１のダンパー部材の筒面と、第２のダンパー部材の筒面とが２つのダンパー部の間隔を確保するスペーサの役割を果たすので、スペーサが不要となり、組み付け工数が低減し、コストも低減できる。
【００１３】
請求項２記載の発明は、前記第１および第２のダンパー部材の筒面の開放面側縁部にそって、互いに嵌合可能な軸方向の凹凸部を形成したことを特徴とする請求項１記載の二重構造ダンパーである。
【００１４】
前記第１および第２のダンパー部材の筒面の開放面側縁部にそって、互いに嵌合可能な軸方向の凹凸部を形成したことにより、第１および第２のダンパー部材のダンパー部の穴の位置決めがなされ、中心出しが容易となる。
【００１５】
請求項３記載の発明は、前記第１および第２のダンパー部材は、樹脂材料を射出成形してなることを特徴とする請求項１または２記載の二重構造ダンパーである。
【００１６】
前記第１および第２のダンパー部材は、樹脂材料を射出成形してなることにより、樹脂材の選定により、所望のｆｏ（最低共振周波数）を得ることができる。
請求項４記載の発明は、請求項１乃至３のいずれかに記載の二重構造ダンパーを用いたことを特徴とするスピーカである。
【００１７】
請求項１乃至３のいずれかに記載の二重構造ダンパーを用いたことにより、スペーサが不要で、組み付け工数が低減し、コストも低減できる。
また、中心出しも容易となる。
【００１８】
さらに、所望のｆｏ（最低共振周波数）を得ることができる。
【００１９】
【発明の実施の形態】
次に図面を用いて本発明の実施の形態例のスピーカを説明する。図１は本実施の形態例の二重構造ダンパーの分解斜視図、図２は本発明の実施の形態例のスピーカの断面図、図３は図１のダンパー部材のダンパー部の平面図である。
【００２０】
尚、本実施の形態例のスピーカと図４に示す従来のスピーカとの相違点は、二重構造ダンパーの箇所のみで、他の部分は同一構造なので、同一部分は同一符号を付し、重複する説明は省略する。
【００２１】
本実施の形態例の二重構造ダンパー１０１は、２つの同じ形状の部材、即ち、第１のダンパー部材１１１と、第２のダンパー部材１２１とから構成されている。
【００２２】
尚、本実施の形態例では、第１のダンパー部材１１１および第２のダンパー部材１２１は、樹脂成形法で製造した。
第１のダンパー部材１１１は、一方の端面側は開放面、他方の端面側には中心部にボイスコイル２３が巻回されたボビン２５が取り付けられる穴１１３が形成され、ボイスコイル２３の移動方向に可撓可能なダンパー部１１５が形成された筒状となっている。
【００２３】
また、第２のダンパー部材１２１も、一方の端面側は開放面、他方の端面側には中心部にボイスコイル２３が巻回されたボビン２５が取り付けられる穴１２３が形成され、ボイスコイル２３の移動方向に可撓可能なダンパー部１２５が形成された筒状となっている。
【００２４】
第１のダンパー部材１１１のダンパー部１１５、第２のダンパー部材１２１のダンパー部１２５には、図３に示すように、それぞれ円弧状の長穴１１５ａ,１２５ａが千鳥状に配列された、いわゆる蝶ダンパーとなっている。
【００２５】
第１のダンパー部材１１１および第２のダンパー部材１２１の筒面の開放面側縁部にそって、互いに嵌合可能な軸方向の凹部１１１ａ,１２１ａおよび凸部１１１ｂ,１２１ｂが形成されている。
【００２６】
さらに、第１のダンパー部材１１１、第２のダンパー部材１２１の凸部１１１ｂ,１２１ｂには、第２のダンパー部材１２１,第１のダンパー部材１１１の凹部１２１ａ,１１１ａに形成された穴１２１ｃ,１１１ｃに圧入されるダボ１１１ｄ,１２１ｄが形成されている。
【００２７】
そして、第１のダンパー部材１１１の開放面と、第２のダンパー部材１２１の開放面とを対向させ、第１のダンパー部材１１１の凹部１１１ａ，凸部１１１ｂと第２のダンパー部材１２１の凹部１２１ａ，凸部１２１ｂとを嵌合させる。
【００２８】
この時、第１のダンパー部材１１１および第２のダンパー部材１２１のダボ１１１ｄ，１２１ｄが第２のダンパー部材１２１および第１のダンパー部材１１１の穴１２１ｃ，１１１ｃに圧入され、第１のダンパー部材１１１と第２のダンパー部材１２１とが固着される。
【００２９】
上記構成の二重構造ダンパー１０１を用いたスピーカによれば、以下のような効果を得ることができる。
（１)  一方の端面側は開放面、他方の端面側には中心部にボイスコイル２３が巻回されたボビン２５が取り付けられる穴１１３が形成され、ボイスコイル２３の移動方向に可撓可能なダンパー部１１５が形成された筒状の第１のダンパー部材１１１と、第１のダンパー部材１１１と同一形状の第２のダンパー部材１２１とでなり、第１のダンパー部材１１１の開放面と、第２のダンパー部材１１１の開放面とが対向するように第１および第２のダンパー部材を一体化したことにより、第１のダンパー部材１１１の筒面と、第２のダンパー部材１２１の筒面とが２つのダンパー部１１５，１２５の間隔を確保するスペーサの役割を果たすので、スペーサが不要となり、組み付け工数が低減し、コストも低減できる。
【００３０】
（２)第１および第２のダンパー部材１１１，１２１の筒面の開放面側縁部にそって、互いに嵌合可能な軸方向の凹部１１１ａ，１２１ａおよび凸部１１１ｂ，１２１ｂａを形成したことにより、第１のダンパー部材１１１および第２のダンパー部材１２１のダンパー部１１５，１２５の穴１１３，１２３の位置決めがなされ、中心出しが容易となる。
【００３１】
（３）第１および第２のダンパー部材１１１，１２１は、樹脂材料を射出成形してなることにより、樹脂材の選定により、所望のｆｏ（最低共振周波数）を得ることができる。
【００３２】
（４）第１のダンパー部材１１１および第２のダンパー部材１２１のダボ１１１ｄ，１２１ｄが第２のダンパー部材１２１および第１のダンパー部材１１１の穴１２１ｃ，１１１ｃに圧入され、第１のダンパー部材１１１と第２のダンパー部材１２１とが固着されるので、接着剤、ビス等の他の固着手段が不要となる。
【００３３】
尚、本発明は、同一形状のダンパー部材を２個１組西田二重構造ダンパーを構成するものであるが、１個のみを使用して一般的なシングル構造にも適用できることは言うまでもない。
【００３４】
【発明の効果】
以上述べたように請求項１記載の発明によれば、一方の端面側は開放面、他方の端面側には中心部に前記ボイスコイルが取り付けられる穴が形成され、前記ボイスコイルの移動方向に可撓可能なダンパー部が形成された筒状の第１のダンパー部材と、該第１のダンパー部材と同一形状の第２のダンパー部材とでなり、前記第１のダンパー部材の開放面と、前記第２のダンパー部材の開放面とが対向するように第１および第２のダンパー部材を一体化したことにより、第１のダンパー部材の筒面と、第２のダンパー部材の筒面とが２つのダンパー部の間隔を確保するスペーサの役割を果たすので、スペーサが不要となり、組み付け工数が低減し、コストも低減できる。
【００３５】
請求項２記載の発明によれば、前記第１および第２のダンパー部材の筒面の開放面側縁部にそって、互いに嵌合可能な軸方向の凹凸部を形成したことにより、第１および第２のダンパー部材のダンパー部の穴の位置決めがなされ、中心出しが容易となる。
【００３６】
請求項３記載の発明によれば、前記第１および第２のダンパー部材は、樹脂材料を射出成形してなることにより、樹脂材の選定により、所望のｆｏ（最低共振周波数）を得ることができる。
【００３７】
請求項４記載の発明によれば、請求項１乃至３のいずれかに記載の二重構造ダンパーを用いたことにより、スペーサが不要で、組み付け工数が低減し、コストも低減できる。
【００３８】
また、中心出しも容易となる。
さらに、所望のｆｏ（最低共振周波数）を得ることができる。
【図面の簡単な説明】
【図１】本実施の形態例の二重構造ダンパーの分解斜視図である。
【図２】本発明の実施の形態例のスピーカの断面図である。
【図３】図１のダンパー部材のダンパー部の平面図である。
【図４】二重構造ダンパーを用いた従来のスピーカの断面図である。
【符号の説明】
１１１  第１のダンパー部材
１１３，１２３  穴
１１５，１２５  ダンパー部
１２１  第２のダンパー部材
【図１】
0004459482.tif 000002
【図２】
0004459482.tif 000003
【図３】
0004459482.tif 000004
【図４】
0004459482.tif 000005